(57)【特許請求の範囲】
【請求項１】
呼吸域粉塵および極めて微細な粉塵、ハウスダスト、カビならびにアレルゲンで汚染された物体を空気とともに収容するためのアレルゲン阻害ケースであり、織布または不織布のウェブと、アレルゲンおよび極めて微細な粒体の通過を妨げる構成のファスナーとを少なくとも含むアレルゲン阻害ケースであって、
前記ウェブは、ポリウレタン−アクリレートコポリマーフォームで被覆され、かつカレンダーによって１μｍより小さい粒体をほぼ１００％分離する程度に密度が高められている生地からなり、
前記ファスナーは、少なくとも三重になった生地を含む封止用帯状片の重なりによって、ケースの内面に封じ込められていることを特徴とするアレルゲン阻害ケース。
【請求項２】
前記アレルゲンが、ハウスダストのダニの排泄物である請求項１に記載のアレルゲン阻害ケース。
【請求項３】
前記汚染された物体が寝具類および／または室内装飾布である請求項１または２に記載のアレルゲン阻害ケース。
【請求項４】
前記ファスナーの片側に、ケースの内側に向かって折り曲げられている前記ウェブの継ぎ目、およびジッパーテープ、ならびにそれらのヘミングテープによる縁取りを有し、前記継ぎ目、ジッパーテープおよび縁取りは、共通の防粒体性の縫い目によって縫い合わされており、
さらに、前記共通の防粒体性の縫い目から突出している封止用帯状片を含み、
前記封止用帯状片は、前記共通の防粒体性の縫い目によって、前記ジッパーテープ、継ぎ目および縁取りに舌の形状で接続されており、この舌は、ヘアピン型に折りたたまれている、請求項１〜３のいずれかに記載のケース。
【請求項５】
前記ファスナーの反対側に、ケースの内側に向かって折り曲げられている前記ウェブのヘム、およびジッパーテープ、ならびにそれらのヘミングテープによる縁取りを有し、前記ヘム、ジッパーテープおよび縁取りは、共同の縫い目によって縫い合わされており、
さらに、前記共同の縫い目から突出している少なくとも一層の封止用帯を含み、
前記封止用帯は、前記共同の縫い目によって、前記ヘム、ジッパーテープおよび縁取りの間に備えられ、前記片側の封止用帯状片の全幅に渡って重なるように設けられている、請求項４に記載のケース。
【請求項６】
前記ウェブの生地は、１９６Ｐａで最大２４０ｌ／ｍ2／ｍｉｎの空気透過性を有する、請求項１〜５のいずれか１項またはそれ以上に記載のケース。
【請求項７】
アレルギー患者用寝具類のアレルゲンを阻害する収容および密閉のために使用する、請求項１〜６のいずれか１項に記載のケース。
【請求項８】
ラテックスアレルギーからの保護のため、ラテックスマットレス用カバーを収容するために使用する、請求項１〜７のいずれかに記載のケース。
【発明の詳細な説明】
【０００１】
本発明は、呼吸域粉塵および極めて微細な粉塵、ハウスダスト、カビならびにアレルゲン、例えばハウスダストのダニの排泄物で汚染された物体、とりわけあらゆる種類の寝具類および／または室内装飾布を空気とともに収容するためのアレルゲン阻害ケースに関するものであり、前記ケースは、織布または不織布を少なくとも一つと、アレルゲンおよび極めて微細な粉塵の通過を妨げる構成の、ファスナーとを含む。
【０００２】
上記のような物体を収容するためのアレルゲン阻害ケースは、一方では限られた程度空気透過性でなければならないが、他方では呼吸域粉塵または極めて微細な粉塵およびアレルゲンで周囲の空気が汚染されるのを防がねばならず、なかでも、ケースを定期的に清掃することが必要である。このため、このようなケースは、扱いやすく、くり返し使用に適した、かつまたアレルゲンを阻害する適切な閉じ具システムを備えていなければならない。また、このようなケースは、例えば押し付けまたは揉む動作により体積が減少したときにケース内でしばしば生じる過剰な圧力を、繊維ウェブ領域と閉じ具システム領域の両方での急激な圧力変化を均一に小さくするのに十分なほど徐々に低減することができ、その結果、呼吸域粉塵およびアレルゲンが放出されないようにしなければならない。
【０００３】
寝具類および室内装飾布用のほぼ空気不透過性のケースにファスナーを備え、これに加えて、何度も繰り返し閉じるのに適した感圧性接着テープによってこのファスナーを封じ込められるようにしたものが知られている。このためには、ウェブ材料は、比較的十分な空気透過性と同時に１０μｍより小さい範囲の呼吸域粉塵に対する粒子不透過性を有する構成でなければならない（US 5 321 861）。
【０００４】
WO 96/21379は、閉鎖空間の上部は、密で被覆された材料を含み、その一方で下側は、ファスナーより空気不透過性が高く、ファスナーからよりも空気が放出されやすい密な材料のみを含むアレルゲン阻害ケースを記載している。しかし、ここでもまた下側の生地は、呼吸域粉塵に対して比較的高い粒子不透性を有するという前提条件を満たさねばならない。
【０００５】
EP 0 600 459 A1は、ファスナーを有し、前記ファスナーの前および／または後ろの少なくとも１つのウェブ重複部によって、高い信頼性で封止できるポリエチレン不織布（タイベック（Tyvek））のアレルゲン阻害ケースを記載している。しかし、このためには、大きく突出したウェブ重複部が、封じ込められるファスナーと、いかなる場合もケースの内面と外面の両方に対して同一平面上に位置する必要があるが、寝具類の一般的な使用を考慮すると、そうでないことがよくある。
【０００６】
全ての公知の解決手段の問題点は、アレルゲン阻害ケースに用いられるウェブ材料は、一方で空気および水蒸気に対して比較的高い透過性を有し、他方で極めて高い粒子不透過性を有さなければならないのに対し、高い空気透過性は、粒子不透過性の低下と必然的に関連しているので、物理学的観点からこれらの要件は矛盾しているということである。
上記の種類のアレルゲンの混ざった極めて微細な粉塵と気体接触した結果、および天然ゴムラテックス製品が出現した結果、不十分な粒子不透過性が気道の症状につながることがある。ここで、誘発物質は、ちり粒子に付着し、かつ１μｍより小さい粒径で実質的な程度で存在するタンパク質である。
【０００７】
本発明の目的は、請求項１の導入部分に記載の種類のアレルゲン阻害ケースを、ウェブの材料が、１μｍより小さい粒径の粒子をカットし、したがって必然的に比較的低い空気透過性を有するように構成し、それと同時に閉じ具システムが、一方で何度も繰り返し操作できるように、かつ空気の排出の際にファスナーを介する流量増加の発生を防止するように構成することであり、その結果、アレルゲン性の粉塵および極めて微細な粒体が、許容または容認できる限度より高い濃度で放出されることがないのに対し、それにもかかわらずケースは、睡眠の快適性を著しく向上させ、かつ例えばケース内部に湿気が蓄積することによるカビの形成を防ぐような十分な水蒸気透過性を有する。
【０００８】
請求項１の導入部分に記載の種類のアレルゲン阻害ケースにおいてこの目的を達成するために、本発明は以下のことを提案する：
ウェブは、ポリウレタン−アクリレートコポリマーフォームで被覆され、かつカレンダーによって１μｍより小さい粒体をほぼ１００％分離する程度に密度が高められている生地を含む。前記ウェブの生地は、例えば、１９６Ｐａで最大２４０ｌ／ｍ2／ｍｉｎの空気透過性を有することが好ましい。
【０００９】
ファスナーは、少なくとも三重になった生地を含む封止用帯状片の重なりによって、ケースの内面に封じ込められている。
【００１０】
アレルゲン阻害ケースの本発明の構成によると、ケース内で過剰な圧力が発生する際に、呼吸域粉塵がアレルギー患者にとって許容および容認できる限度より明らかに低い量でしか、周囲の空気に放出されないことが確実となる。
【００１１】
これまでアレルギー研究の文献では、ほんの数少ない限度しか規定されていない。高度に感作されたハウスダストのダニアレルギー患者では、空気中で約１０ｎｇ／ｈ、またはｎｇ／ｍ3という閾値指標となっている。
ラテックスアレルギーでは、明確に規定された値はない。しかし、システムの不透性により、１０μｍより小さい粉塵粒子に付着したアレルゲン（天然ゴムラテックス製品のタンパク質）が、許容不可能な濃度でケースから放出されることはない。少なくとも三層の生地を含む封止用帯状片を重ねて、ファスナーがケース内面に封じ込められているため、ケースと周囲の雰囲気との間の圧力差が過剰になった際に、前記封止用帯状片が、不確実な接続でファスナーに当接し、三層の生地を介して空気を拡散させる。ここでもまた、確実に、１μｍより小さい粒体がほぼ１００％の程度で分離される。
【００１２】
ファスナーによる封止の有利な実施形態は、サブクレームに述べられており、縫い目にアレルゲン阻害不透過性を持たせることもまた可能である。
【００１３】
本発明によるケースの一使用法は、アレルギー患者用の寝具類を収容して包む、または、ラテックスアレルギーからの保護のためにラテックスマットレス用カバーを収容することである。
【００１４】
本発明のさらなる詳細、特徴および利点は、以下で図に模式的に示された実施例を説明することにより明らかになる。
【００１５】
呼吸域粉塵、ハウスダスト、カビおよびアレルゲン、例えばハウスダストのダニの排泄物で汚染された物体、とりわけあらゆる種類の寝具類および／または室内装飾布を空気とともに収容するための本発明に係るアレルゲン阻害ケースの詳細は、織布または不織布のウェブ部分（４）と、アレルゲンおよび極めて微細な粒体の通過を妨げる構成のファスナーによる機械的閉じ具（１）とを含む。
このために、ウェブ（４）は、ポリウレタン−アクリレートコポリマーフォームで被覆され、かつカレンダーによって１μｍより小さい粒体をほぼ１００％分離する程度に密度が高められている生地を含み、かつファスナー（１）は、少なくとも三重になった生地（１０〜１２）を含む封止用帯状片（３）の重なり（２）によって、ケースの内面に封じ込められている。このために、封止用帯状片（３）は、ファスナーテープ（７）の一方と、生地のウェブ（４）のヘム（１３）と（シームは前記ケースの内側に向かって折り曲げられている）、ヘミングテープ（１４）によるそれらの前記ケースの縁取りとの間の側方の縫い目（５）から突出しており、共同の防粒体性の縫い目（５）によって、前記要素に舌（９）の形状で接続されており、この舌は、ヘアピン形状に折りたたまれている構成を提供する。
ファスナー（１）の反対側には、縫い目（５）と反対側の縫い目（６）から突出し、ジッパーテープ（８）とケースの内面に向かって折り曲げられているウェブ（４）のヘム（１５）とヘミングテープ（１６）の縁取りとの間に、さらに、反対側の封止用帯状片（３）の全幅に渡って重なるように設けられた少なくとも一層の封止用帯（１７）が、共同の縫い目（６）によって備えられている封止部の構成を提供する。
矢印（１８）方向に対応してケースの内面の間で圧力が設置されると、前記封止用帯（１７）は、舌（９）のように構成されている封止用帯状片（３）とともに、隣接位置へ動いてファスナー（１）の底側と不確実に接続し、ファスナーのほぼ１００％の封止を達成することは、詳細な説明により明らかである。しかし他方で、適切な閉め部材（図示せず）により外側から操作するときにジップの開閉を決して妨げないように、帯（１７）と舌（９）はいずれもファスナー（１）の下に取り付けられている。
しかし他方で、要素５、１１、１０、１３、１４が共同の縫い目（５）で結合されており、対応する反対側の要素が共通の縫い目（６）で結合されていることにより、複雑でない製造もまた確実となるので、本発明は、始めに述べた課題の最適な解決手段を表している。
【図面の簡単な説明】
【図１】  本発明の実施例を模式的に示す図
【符号の説明】
１  機械的閉じ具
２  重なり
３  封止用帯状片
４  帯状片
１０、１１、１２  生地
【図１】
0003696088.tif 000002